(57)【要約】【課題】本発明は、養液栽培法において、より様々な作物に対して、養液を使い分けることなく、作物の収穫量や作物の品質を向上させ、かつ、栽培環境を維持することのできる養液栽培用栽培剤を提供することを課題とする。【解決手段】本発明の養液栽培用栽培剤は、窒素、リン、カリウム、カルシウム、マグネシウム、硫黄、鉄、マンガン、ホウ素、亜鉛、モリブデン、銅、塩素、ニッケルのうち、少なくとも一つを含む肥料成分とセルロースナノファイバーを含有すること又はセルロースナノファイバー分散液を特徴とする養液栽培用栽培剤である。【選択図】  図１
2020110183.tif 000002
【特許請求の範囲】
【請求項１】
セルロースナノファイバーを含有することを特徴とする養液栽培用分散液。
【請求項２】
前記セルロースナノファイバーが、平均太さ３〜２００nmであり、平均長さ０．１μｍ以上であることを特徴とする請求項１記載の養液栽培用分散液。
【請求項３】
前記セルロースナノファイバーが、セロビオースユニット内に水酸基６個を有し、化学修飾されていないセルロースナノファイバーであることを特徴とする請求項１又は請求項２に記載の養液栽培用分散液。
【請求項４】
前記セルロースナノファイバーが、平均太さが３〜２００ｎｍであり、結晶化度が５０以上であり、かつ、原料のα―セルロース含有率が６０〜９９質量％であることを特徴とする請求項１から請求項３の何れか１項に記載の養液栽培用分散液。
【請求項５】
肥料成分と共に使用することで収穫量を増加させることを特徴とする請求項１から請求項４の何れか１項に記載の養液栽培用分散液。
【請求項６】
湛液水耕、薄膜水耕、若しくは噴霧水耕のいずれかの栽培方式において、
施肥するために使用することを特徴とする請求項１から請求項５の何れか１項に記載の養液栽培用分散液。
【請求項７】
請求項１から請求項６の何れか一項に記載の養液栽培用分散液を植物に噴霧して使用することを特徴とする養液栽培方法。
【請求項８】
請求項１から請求項６の何れか一項に記載の養液栽培用分散液に植物を満たして植物を栽培することを特徴とする養液栽培方法。
【請求項９】
請求項１から請求項６の何れか一項に記載の養液栽培用分散液を流して植物を栽培することを特徴とする養液栽培方法。
【請求項１０】
肥料成分を施肥した土壌へ請求項１から請求項６の何れか１項に記載の養液栽培用分散液を噴霧することを特徴とする養液栽培方法。
【発明の詳細な説明】
【技術分野】
【０００１】
本発明は、養液栽培において、肥料成分と共にセルロースナノファイバーを使用することで、収穫量を増加させることができ、かつ、栽培時における菌の増殖を抑え、腐敗や異臭等を防止し、栽培環境の維持をすることのできる養液栽培用分散液及び養液栽培用分散液を使用する養液栽培方法に関する。
【背景技術】
【０００２】
従来、農業生産における課題として、植物の生長を促進させ単位面積当たりの収穫量を増やすこと、生産効率を向上させ、全体としての収穫量を増やすこと、病原菌や害虫又は気候変動に耐性のある植物を生産すること等が挙げられる。
収穫量を増やすためには、肥料を調製し、栽培期間を短くして植物の栽培効率や回転率を上げる必要がある。また、栽培期間が短い程、病原菌や害虫による被害を受ける可能性が減少する。このように植物の栽培期間を短くすることは、成長促進作用の関与するところであり、従来の栽培法をいかに改良して生育を促進するか或いは品質の高い作物を栽培するかが課題となっている。
【０００３】
一方、セルロースナノファイバー（以下、ＣＮＦということもある）は、地球温暖化対策として大気中のCO2の効率的な削減を図る目的から、カーボンニュートラルな素材として注目されている。一般的に、ＣＮＦは、直径が３〜１００nmでアスペクト比（繊維長／繊維幅）が100以上のセルロースからなる繊維状物質であるとされている。ＣＮＦは、軽量、高強度、低熱膨張率等の優れた性質を有しており、今後、様々な分野において使用が期待される材料である。
【０００４】
一般に肥料として、作物、花卉類等の植物体の成長に必要な成分を補うために窒素、リン、カリウムの三大要素を含む複数の成分をバランスよく配合した複合肥料が用いられる。この複合肥料の形態として、肥料を固体として用いる固体肥料と肥料を水溶液とした液体肥料とがある。固体肥料として施肥する場合は、成分の過不足を招いたり、また、土壌において成分の濃度差が生じるおそれがあり、結果として作物の収穫量の減少を招くおそれがある。この点、 液体肥料（以下、液肥ということもある。）として施肥する場合は、成分の調製を正確に行うことにより、成分の過不足を招いたり、土壌における成分の濃度差が生じるおそれを少なくすることができる。
【０００５】
このような利点を有する液体肥料は、植物への施肥管理を行う養液栽培に広く使用されている。液体肥料は、その栽培作物に応じて最適の成分、成分濃度、ｐＨ、温度等が選択される。このとき、収穫量や作物の品質の向上を図るために選択される成分として下記の発明が開示されている。
【０００６】
特許文献１には、複数回施用するシクロプロペンと植物とを接触させることを含む、植物の収穫量を増加させる方法の発明が開示されている。
【０００７】
また、特許文献２には、基床に支持された植物に養液を供給する植物の栽培において、ｌ〜５００ｐｐｍのペタインを含む養液を供給する植物の栽培方法の発明が開示されている。
【０００８】
さらに、特許文献３には、合成ＬＣＯ化合物であるテトラ−Ｎ−アシル−ベータ−Ｄ−メチル−グルコシド（ＴＡＭＧ）及びその関連化合物を含む組成物に関する発明が開示されている。
【０００９】
特許文献１〜３に記載されているシクロプロペンを複数回施用することによる方法、１〜５００ｐｐｍのペタインを含んだ養液、及び、テトラ−Ｎ−アシル−ベータ−Ｄ−メチル−グルコシド（ＴＡＭＧ）とその関連化合物を含む組成物は、特定の植物の成長促進作用に対して役に立ちうる発明である。しかしながら、より様々な作物に対して、養液を使い分けることなく、作物の収穫量や品質の向上を図ることのできる有効な栽培剤が、依然として必要とされている。
【先行技術文献】
【特許文献】
【００１０】
【特許文献１】特表２０１６−５１１７６２号公報
【特許文献２】特開平１−２２８４１６号公報
【特許文献３】特表２０１６−５１１７５７号公報
【発明の概要】
【発明が解決しようとする課題】
【００１１】
本発明は、上記事情に鑑みなされたもので、養液栽培における栽培剤を提供することにあり、より詳しくは、植物の生育を促進し、作物の収穫量や品質の向上を図ることができる養液栽培用分散液、養液栽培方法を提供することを目的とする。
【００１２】
また、本発明は、栽培環境の維持にも優れた養液栽培用分散液を提供することをさらなる目的とする。
【課題を解決するための手段】
【００１３】
本発明者は、上記目的を達成するために鋭意検討を行った結果、セルロースナノファイバーが有する広大な比表面積及びこれに起因する表面吸着力に着目した。すなわち、これを液体肥料と混合し、液体肥料中の植物の生長に必要な成分をセルロースナノファイバーに吸着させた状態で施肥することや、肥料成分存在下でセルロースナノファイバー分散液を噴霧し、セルロースナノファイバーに前記肥料成分を吸着させることにより前記課題を解決できることを見出し、本発明を完成するに至ったものである。
【００１４】
すなわち、本発明の養液栽培用分散液は、セルロースナノファイバーを含有することを特徴とする。
【発明の効果】
【００１５】
本発明により、植物の生育を促進し、作物の収穫量や品質の向上を図ることができる養液栽培用分散液及び養液栽培方法が提供される。また、栽培環境維持にも優れた養液栽培用分散液が提供される。
【図面の簡単な説明】
【００１６】
【図１】ＣＮＦの製造（解繊処理）装置の概念図である。
【図２】他のＣＮＦの製造（解繊処理）装置の概念図である。
【図３】図２におけるＣＮＦの製造（解繊処理）装置の一部を拡大して示す概念図である。
【図４】実施例１のカサブランカを栽培した結果を示す写真である。
【図５】比較例１のカサブランカを栽培した結果を示す写真である。
【図６】実施例２及び比較例２のトマトの収穫量の推移の結果を示す図である。
【図７】実施例２及び比較例２のトマトの収穫後の根の結果を示す写真である。
【図８】実施例３及び比較例３の二十日大根を栽培した結果を示す写真である。
【図９】実施例３の二十日大根の大根部分を示す写真である。
【図１０】比較例３の二十日大根の大根部分を示す写真である。
【図１１】実施例５及び比較例５の豆苗を栽培した結果を示す写真である。
【図１２】実施例５及び比較例５のブロッコリースプラウトを栽培した結果を示す写真である。
【図１３】菌測定結果を示す図である。
【図１４】実施例７のキャベツ栽培の初期段階における結果を示す写真である。
【図１５】比較例７のキャベツ栽培の初期段階における結果を示す写真である。
【図１６】実施例８、比較例８のブロッコリー栽培の初期段階における結果を示す写真である。
【発明を実施するための形態】
【００１７】
次に、本発明の一実施形態の養液栽培用分散液を説明するが、本発明はこの実施形態に限定されるものではない。 
【００１８】
本発明の一実施形態の養液栽培用分散液は、液体肥料にＣＮＦ分散液を配合してなるものである。
【００１９】
まず、ＣＮＦ分散液の調製方法について説明する。本発明において、ＣＮＦとしては例えば、木材繊維、広葉樹、針葉樹、竹繊維、サトウキビ繊維、種子毛繊維、葉繊維、海藻類等の天然の植物を含む多糖由来のＣＮＦが挙げられる。また、バガス、稲わら、茶殻、果汁の搾り粕等の植物の葉、花、茎、根、外皮等に由来する作物残渣から産出されるものであっても良い。これらＣＮＦは一種を単独で又は二種以上を混合して用いてもよい。また多糖としてはα−セルロース含有率６０％〜９９質量％のパルプを原料として用いるのが好ましい。α−セルロース含有率６０質量％以上の純度であれば繊維径及び繊維長さが調整しやすくなって繊維同士の絡み合いを抑えることができるために噴霧性が良好であり、腐敗して植物生長を阻害することなく生育環境を維持することができる。α−セルロース含有率６０質量％未満のものを用いた場合は、セルロースの天然結晶が有する特性を十分に引き出せなくなるほか、腐敗等による保管時の経時劣化を引き起こす虞があり、一方、９９質量％以上のものを用いた場合、繊維をナノレベルに解繊することが困難になる。
【００２０】
パルプとしては、入手しやすく安価である点から製紙用パルプを用いることができ、製造方法は特に限定されないが、例えば漂白クラフトパルプ、未晒クラフトパルプ、サルファイトパルプ、ソーダパルプ、サーモメカニカルパルプ、脱墨パルプ、古紙パルプ、溶解パルプ等のパルプが挙げられる。これらの中でも、より入手しやすいことから、漂白クラフトパルプ、未晒クラフトパルプが好ましい。
【００２１】
ＣＮＦの結晶化度は結晶化度５０以上が好ましい。結晶化度については、Ｘ線回折法等によって測定することができ、結晶化度５０未満の場合は、セルロースの天然結晶が有する特性を十分に引き出せなくなるほか、腐敗等による保管時の経時劣化を引き起こす虞がある。
【００２２】
本発明におけるＣＮＦは、以下の解繊処理行うことによりＣＮＦ分散液（以下、含水状態のＣＮＦということもある。）として得られる。
解繊処理は、図１に示した水中対向衝突法（以下、ＡＣＣ法と言うこともある。）を用いて行う。これは、水に懸濁したパルプをチャンバー（図１：１０７）内で相対する二つのノズル（図１：１０８ａ，１０８ｂ）に導入し、これらのノズルから一点に向かって噴射、衝突させる手法である。図１に示される装置は液体循環型となっており、タンク（図１：１０９）、プランジャ（図１：１１０）、対向する二つのノズル（図１：１０８ａ，１０８ｂ）、必要に応じて熱交換器（図１：１１１）を備え、水中に分散させた微粒子を二つのノズルに導入し高圧下で合い対するノズル（図１：１０８ａ，１０８ｂ）から噴射して水中で対向衝突させる。
【００２３】
前記解繊処理を実施する前に、前処理装置を使用して解繊処理を実施してもよい（図２、図３）。また、その他の解繊方法として、かかる前処理装置を使用してもよい。前記前処理装置を使用した解繊処理は、０．５〜１０質量％の水混合液にした多糖に対し、５０〜４００ＭＰａ程度の高圧水を衝突させて行う。これは例えば図２に示す製造装置１を用いて行うことができる。製造装置１は、一のチャンバー２に対して多糖スラリを供給可能に配置される第１の液状媒体供給経路であるところの多糖スラリ供給経路３と、例えば水である非多糖スラリを一のチャンバー２を介して循環させる第２の液状媒体供給経路４とよりなる。一のチャンバー２内には第２の液状媒体供給経路４の非多糖スラリを多糖スラリ供給経路３からの多糖スラリ供給方向と交差する方向にオリフィス噴射するオリフィス噴射部５を備える。多糖スラリ供給経路３は、多糖スラリを一のチャンバー２を介して循環可能にされる。
【００２４】
多糖スラリ供給経路３と第２の液状媒体供給経路４とは一のチャンバー２内に相互の交差部６を有する。
多糖スラリ供給経路３は多糖スラリ供給部であり多糖スラリを貯留するタンク７、ポンプ８を循環路９に配置してなり、一方、第２の液状媒体供給経路４はタンク１０、ポンプ１１、熱交換器１２、プランジャ１３を循環路である液状媒体供給経路４に配置してなる。
【００２５】
なお非多糖スラリは、例えば水であり、当初タンク１０に収納され、その後セルロースナノ繊維の製造装置１の作動に伴い交差部６を通過してタンク１０に収納されたナノ微細化された多糖を操業の度合いに応じた濃度で含むことになった状態のものをも、包括的に指称する。
【００２６】
図３に示すようにチャンバー２を貫通する態様で多糖スラリ供給経路３の循環路９が配置され、これと交差する方向に非多糖スラリをオリフィス噴射して循環路９を貫通させることができるように第２の液状媒体供給経路４のプランジャ１３に接続されるオリフィス噴射部５のオリフィス噴射口１４がチャンバー２内側において開口する。チャンバー２のオリフィス噴射口１４と対向する位置にチャンバー２の排出口１５が設けられ、このチャンバー２の排出口１５に第２の液状媒体供給経路４の循環路が接続されて、第２の液状媒体供給経路４が構成される。
【００２７】
一方、多糖スラリ供給経路３の循環路９は例えばビニルホース、ゴムホース、アルミパイプ等を用いて形成され、その循環路９のチャンバー２への入り側にはチャンバー２方向にのみ開弁される一方向弁１６が取りつけられる。さらに循環路９のチャンバー２からの出側にはチャンバー２からの排出方向にのみ開弁される一方向弁１７が取りつけられる。加えてチャンバー２と一方向弁１７の間の循環路９にはエア吸入弁１８が取りつけられ、このエア吸入弁１８は外部から循環路９へエアを吸入する方向にのみ開弁される。
【００２８】
以上のセルロースナノ繊維の製造装置によれば以下のようにしてセルロースナノファイバーが製造される。
非多糖スラリーを、チャンバー２を介して第２の液状媒体供給経路４を循環させる。具体的にはポンプ１１を用いてタンク１０内の非多糖スラリを熱交換器１２、プランジャ１３を通過させて液状媒体供給経路４内を循環させる。一方、多糖スラリーを、チャンバー２を介して多糖スラリ供給経路３内を循環させる。具体的にはポンプ８を用いてタンク７内の多糖スラリをビニルホース、ゴムホース等を用いて形成された循環路９内を循環させる。
【００２９】
これにより、多糖スラリ供給経路３内を循環してチャンバー２内を流通する多糖スラリに対して第２の液状媒体供給経路４を循環する非多糖スラリがオリフィス噴射される。具体的にはプランジャ１３に接続されるオリフィス噴射口１４にプランジャ１３から高圧水が供給され、これがオリフィス噴射口１４から循環路９に向けて５０〜４００ＭＰａ程度の高圧でオリフィス噴射される。
【００３０】
その結果、例えばビニルホース、ゴムホース、アルミパイプ等を用いて形成された循環路９に予め形成された貫通孔２６ａ、ｂを通過して、循環路９と交差する方向に循環路９内側を通過した非多糖スラリが循環路９内を循環する多糖スラリを巻き込みながらチャンバー２の排出口１５に向けて排出され、第２の液状媒体供給経路４に流入する。これによって、非多糖スラリが第２の液状媒体供給経路４内を再度循環する。
以上のプロセスを反復する過程で多糖スラリ供給経路３内を循環してチャンバー２内を流通する多糖スラリ及び第２の液状媒体供給経路４を循環する非多糖スラリ中の多糖が徐々に解繊されて、用途に応じた解繊度合の均一性の高いＣＮＦ分散液が得られる。
【００３１】
パルプ繊維からＣＮＦへの解繊度合は、ＣＮＦ分散液の粘度値により評価することが出来る。すなわち、解繊度を高めたＣＮＦ分散液に含まれるＣＮＦは繊維長さが短いものであるため、粘度値が低いものとなる。したがって、解繊度が高いＣＮＦ分散液は、粘度が低いものとなる。一方、これより粘度値が高いＣＮＦ分散液は、係るＣＮＦ分散液に含まれるＣＮＦは繊維長さが長いものであるため、その粘度値が高いものとなる。したがって、前記ＣＮＦ分散液と比較して解繊度が低いものとなる。
また、解繊後の繊維径に対する繊維長の比（アスペクト比）がパルプ繊維毎に異なるので、ＣＮＦ分散液の粘度値はそれぞれ異なるものとなる。
さらに、例えば、異なる種類のパルプ繊維を組み合わせることにより、又は、前記解繊度合を調製することにより、ＣＮＦ水分散液１ｗｔ％における粘度を概ね３００〜１００００mPa・sの範囲で調整することができる。
【００３２】
以上のようにして得るＣＮＦは、天然セルロース繊維間の相互作用のみを解裂させることによってナノ微細化を行うためセルロース分子の構造変化がなく、以下の化学式１に表わされる構造式を有する。換言すると、本願発明で用いるＣＮＦは、化学式１中のセロビオースユニット内に水酸基６個を有し、化学修飾されていないことを意味する。これは、FT-IRを使用してセルロースのIRスペクトルと本願発明に使用するＣＮＦとを比較することで確認することができる。  本ＡＣＣ法により、セルロース繊維の平均粒子長を１０μｍにまで粉砕することができ、その結果、平均太さ３〜２００nmであり、平均長さ０．１μｍ以上であるＣＮＦが得られる。平均太さと平均繊維長さの測定は、走査型電子顕微鏡（ＳＥＭ）、透過型電子顕微鏡（ＴＥＭ）等を適宜選択し、ＣＮＦを観察・測定し、得られた写真から２０本以上を選択し、これをそれぞれ平均化することにより求める。一方で、対向衝突処理においては、加えられるエネルギーが共有結合を切断するエネルギーには、はるかに及ばず（推定１／３００以下）、セルロースの重合度の低下は生じにくい。本ＡＣＣ法によって得られたセルロースナノファイバーは、親水サイトと疎水サイトが共存し、両親媒性を示す。
【００３３】
【化１】
2020110183.tif 000003
【００３４】
ＣＮＦを平均太さ３〜２００nmまで解繊処理することで、流動性があって噴霧性に優れる。一方で、平均太さ３ｎｍ未満の場合には、脱水性に乏しく固形分濃度を高めることが難しくなる虞があり、平均太さ２００ｎｍ超えの場合には、流動性が低下し、噴霧性が良好でなくなる他、繊維太さの分布が広くなり、均質な性質を示さない虞がある。
【００３５】
本発明におけるＣＮＦは、 平均重合度が５００〜９００の範囲にあるものを使用することが好ましい。平均重合度については、銅エチレンジアミン溶液を用いた測定法等によって測定することができる。
ＣＮＦ固形分量０．１５ｇを３０ｍＬの０．５Ｍ銅エチレンジアミン溶液に溶解させ、キャノン・フェンスケ動粘度管を用いて、ＣＮＦ・銅エチレンジアミン溶液の粘度ηを測定し、０．５Ｍ銅エチレンジアミン溶液の粘度をη０として、下記のＳｃｈｕｌｚ−Ｂｌａｓｃｈｋｅ式から極限粘度［η］を求めて、下記のＭａｒｋ−Ｈｏｕｗｉｎｋ−Ｓａｋｕｒａｄａ式から重合度ＤＰを算出した。
比粘度  ηsp＝η／η０−１
極限粘度［η］＝ηsp／｛ｃ（１＋Ａ×ηsp）｝
η０は０．５Ｍ銅エチレンジアミン溶液の粘度であり、ｃはＣＮＦ濃度（ｇ／ｍＬ）であり、Ａは溶液の種類によって決まる固有値であって０．５Ｍ銅エチレンジアミン溶液の場合にはＡ＝０．２８である。
重合度ＤＰ＝［η］／Ｋａ
Ｋとａは高分子と溶媒の種類によって決まる固有値であって、銅エチレンジアミン溶液に溶解したセルロースの場合としてＫ＝０．５７、ａ＝１とした。
【００３６】
なお、本発明においては、他のセルロースナノファイバーの製造方法として公知であるTEMPO酸化触媒処理、リン酸エステル化処理、オゾン処理、酵素処理、マレイン酸処理、無水アルケニルコハク酸による疎水変性、アルキルケテンダイマーによる疎水変性、アセチル化による疎水変性などの化学的処理をする方法によって得られるセルロースナノファイバー又はグラインダー（石臼型粉砕機）、ディスク型リファイナー、コニカルリファイナーなどの機械的作用を利用する湿式粉砕でセルロース系繊維を細くする物理的方法によって得られるセルロースナノファイバーであっても、本発明においてＣＮＦ分散液として使用することができる。また、化学的処理及び物理的処理を併用する方法によって得られたセルロースナノファイバーをもＣＮＦ分散液として使用することができる。
【００３７】
−養液栽培用分散液− 
本発明の養液栽培用分散液とは、肥料成分とＣＮＦ分散液とを含んでなるもの又はＣＮＦ分散液のことをいう。ここで、肥料成分の形態は、特に制限されず、液体或いは固体（固形）のいずれでもよい。 
本発明における肥料成分は、窒素、リン、カリウム、カルシウム、マグネシウム、硫黄、鉄、マンガン、ホウ素、亜鉛、モリブデン、銅、塩素、ニッケルのうち、少なくとも一つを含有していればよい。また、液体肥料或いは固体（固形）肥料は、前記肥料成分が有する諸機能を阻害しない範囲内であれば他の成分を含んでいてもよい。 
【００３８】
さらに、前記液体肥料は、市販の液体肥料を用いてもよい。市販の液体肥料の具体例としては、尿素複合液肥、ホウ素・マンガン・苦土入り尿素複合液肥、硝安系複合液肥、硝酸石灰系液肥、有機入り液肥、リン安液肥、粉末液肥、無チッソ液肥、液体微量要素複合肥料などを挙げることができる。
また、前記固体（固形）肥料としては、油粕、骨粉、魚かす、鶏糞、米糠、草木灰等の植物性又は動物性の有機質肥料、又は、鉱物や石油などを原料とする無機質肥料（化学肥料）等、特に制限されることなく公知のものを使用することができる。
【００３９】
前記肥料成分又は前記液体肥料を溶解または分散する溶媒としては、水または有機溶剤を挙げることができ、水が好ましい。ただし、水道水は塩素を含有し殺菌作用を有するため、塩素除去水、井戸水、湧水などを使用することが好ましい。
【００４０】
前記液体肥料中の肥料成分の含有率の下限は、特には制限されないが、０．００１質量％以上が好ましく、０．００５質量％以上がより好ましい。肥料成分が少なすぎると、液体肥料の効果が低減するからである。また、前記液体肥料中の肥料成分の含有率の上限は、特には制限されないが、２５質量％以下が好ましく、２０質量％以下がより好ましい。肥料成分が多すぎると、異臭の原因となる場合があるからである。
【００４１】
前記液体肥料中の溶媒の含有率は、７５質量％以上が好ましく、８０質量％以上がより好ましく、９９質量％以下が好ましく、９５質量％以下がさらに好ましい。溶媒の含有率が少なくなりすぎると、液体肥料の粘度が高くなり、取扱いが悪くなる。また、溶媒の含有率が高すぎると、肥料成分の割合を低くする必要があるからである。
【００４２】
養液栽培用分散液中のＣＮＦ含有率は、特に制限されることなく使用することができるが、０．０００１質量％以上１０質量％以下が好ましい。ＣＮＦの含有率があまりにも少ない場合には、ＣＮＦによる効果が低減するからである。また、１０質量％以上であると、養液栽培用分散液が高粘度となり、噴霧性が低下し、均質な施肥が困難となるからである。
【００４３】
本発明の養液栽培用分散液は、ＣＮＦ分散液単体であっても使用することができる。ＣＮＦは、土壌中のセルラーゼなどの酵素で緩慢な速度で分解し、その分解物であるブドウ糖は、植物の根から速やかに吸収されるため、生育環境の悪化原因にはならず、成長促進の効果にも寄与するからである。  また、前記ＣＮＦ分散液は、針葉樹、広葉樹及び竹繊維のうちいずれか一つを出発原料とし、かつ、ＡＣＣ法により得られたＣＮＦを使用すると、より作物の収穫量や品質の向上を図ることができる。これは、ＡＣＣ法により得られたＣＮＦは、両親媒性を有していること、及び、セロビオースユニット中の水酸基はいずれも化学変性されておらず６つ存在していることに起因すると推測される。 
また、前記ＣＮＦ分散液を液体肥料又は固体（固形）肥料等の肥料成分が施肥された土壌等の箇所へ噴霧することによっても生長を促進させることができる。噴霧されたＣＮＦ分散液中のＣＮＦは、土壌中の肥料成分中の植物の生長に必要な成分を吸着し、植物根圏へ到達する。その結果、植物根圏に存在する肥料成分濃度が高いものとなり、肥料吸収が促進されるために、さらに生長が促進される。なお、肥料成分とＣＮＦ分散液とを含んでなる養液栽培用分散液を使用しても、ＣＮＦ分散液単体である場合と同様の効果が得られること言うまでもない。 
【００４４】
本発明の養液栽培用分散液は養液栽培において使用されるものである。本発明において、養液栽培とは、植物の成長に必要な成分を、液体肥料として与える栽培方法のことをいう。なお、液体肥料は、肥料成分等の各種成分が完全に溶解していることを必要としないため、固体の肥料成分が存在していてもよい。ここで、液体肥料を用いる栽培方法には、いくつかの栽培方式があり、その代表的なものとして、液体肥料の添加と灌水とを同時に行う養液土耕法、培地として土を使用しない水耕栽培等が挙げられる。また、その他の養液栽培の栽培方式として、れき、砂、ピート、バーミキュライト、軽石、オガクズ、ロックウール等の固形培地に作物を定植し、この作物に液体肥料を供給する固形培地耕法が挙げられる。
【００４５】
前記水耕栽培には、養液を満たして栽培する湛液水耕、養液を浅く流して栽培する薄膜水耕、養液を噴霧ポンプでミスト状にして根等に噴霧して栽培する噴霧水耕などが含まれる。また、水耕栽培は、現在、野菜工場や植物工場等の植物栽培施設において、一般的に使用される栽培方式である。本願発明の養液栽培用分散液も当然に植物工場において使用可能である。
【００４６】
本発明の栽培剤の施肥方法は特に限定されないが、農作業労力の軽減およびコストの面から、点滴灌水装置等の公知の機械的手段を用いる養液栽培装置を使用して施肥することが好ましい。
【００４７】
−対象植物− 
本発明に係る養液栽培用分散液は、施肥後、比表面積が大きいＣＮＦが養液栽培用分散液に含有する肥料成分を表面に吸着したまま、植物根圏へ到達する。その結果、植物根圏に存在する肥料成分濃度が高いものとなり、肥料吸収が促進される。すなわち、土壌を培地とする養液土耕法の場合には、土壌中に存在する肥料成分に加えて、液体肥料の肥料成分を効率よく利用できる。ここで、土壌中に存在する肥料成分としては、予め特定の箇所へ施肥した場合における肥料成分も含まれる。また、他の栽培方法においても同様の理由により効率よく利用できる。したがって、本発明の養液栽培用分散液を用いる対象となる植物は、特に限定されず、あらゆる種類の農園芸作物に対し用いることができる。あえて植物を例示するならば、レタス、ルバーブ、水菜、ハーブ、大根菜、わさび菜、べんり菜、青梗菜、パクチョイ、キャベツ、アブラナ、春菊、空芯菜、コマツナ、白菜、セルタス、ターサイ、ミツバ、野沢菜、ほうれん草、ネギ等などの葉菜類、唐辛子、パプリカ、メロン、ゴーヤ、スイカ、カボチャ、ブルーベリー、イチゴ、ナス、トマト、ブドウなどの果菜類、ブロッコリー、カリフラワー、フキノトウ等の花菜類、モヤシ、枝豆、豆苗、各種スプラウト等の豆類、バラ等の花卉類、稲、麦などの穀類、レンコン、大根などの根菜類、ヒヤシンス、クロッカス、チューリップ、カサブランカなどの球根類、ミシマサイコ、ニンジン、パセリなどのセリ科の植物等を例示することができる。
【００４８】
本発明に係る養液栽培用分散液は、菌の増殖を抑え、腐敗や異臭の発生防止効果を有しており、一般に使用されている防腐剤を新たに添加する必要がないか、又は添加する場合にはその添加量を少なくすることができる。
【実施例】
【００４９】
以下に実施例及び比較例を挙げ、本発明を具体的に説明するが、本発明は、これら実施例によって何ら限定されるものではない。
【００５０】
＜栽培作物；カサブランカ＞
カサブランカの栽培を表１に示すスケジュールにおいて、同一の球根を使用して栽培を行った。ここで、２０１７年３月〜２０１７年１０月の期間を１年目（比較例１）とし、２０１７年１１月〜２０１８年９月の期間を２年目（実施例１）とした。
【００５１】
【表１】
2020110183.tif 000004
【００５２】
（実施例１） 
竹パルプを原料とし、ＡＣＣ法によるＣＮＦ分散液１００ｃｃ（濃度０．４ｗｔ％、平均重合度８００、結晶化度６１）を得た。次いで、液体肥料（住友化学園芸株式会社製、花工場  生産業者保証票生第８５０９５号  Ｎ：Ｐ：Ｋ＝５：１０：５  Ｍｇ：０．０８  Ｍｎ：０．００４  Ｂ：０．０１６）１０ｃｃ及び前記ＣＮＦ分散液１００ｃｃに水７０００ｃｃを加えて、全量７１１０ｃｃとし、養液栽培用分散液とした。 
次いで、１年目終了時のカサブランカの球根を掘り起こし、洗浄した後、植え直して、養液土耕法により栽培した。このとき、１回／週間の頻度で、ＣＮＦ固形分量０．０９ｇ／回（施肥時濃度０．００６％）となるようにし、全量で１５００ｃｃの養液栽培用分散液を施肥した。
【００５３】
（比較例１） 
液体肥料（住友化学園芸株式会社製、花工場  生産業者保証票生第８５０９５号  Ｎ：Ｐ：Ｋ＝５：１０：５  Ｍｇ：０．０８  Ｍｎ：０．００４  Ｂ：０．０１６）１０ｃｃに水７０００ｃｃを加えて、全量７０１０ｃｃとした。 
カサブランカの苗を購入し、養液土耕法により栽培した。このとき、１回／週間の頻度にて、全量で１５００ｃｃの養液栽培用分散液を施肥した。
【００５４】
実施例１及び比較例１の結果を表２に示す。また、カサブランカを栽培した結果を示す写真を図４及び図５に示す。
【００５５】
【表２】
2020110183.tif 000005
【００５６】
（結果の考察） 
表２、図４及び図５の結果から、本願発明に係る養液栽培用分散液は、ＣＮＦ分散液を配合しない液体肥料と比較して、約１．５倍の成長量があった。なお、一般的に、一度開花した後の球根を使用した２年目以降のカサブランカは徐々に背丈、蕾数が減少することが知られている。
【００５７】
＜栽培作物；トマト（品種；桃太郎）＞ 
（実施例２） 
竹パルプを原料とし、ＡＣＣ法によるＣＮＦ分散液１００ｃｃ（濃度０．４ｗｔ％、平均重合度８００、結晶化度６１）を得た。次いで、液体肥料（住友化学園芸株式会社製、花工場  生産業者保証票生第８５０９５号  Ｎ：Ｐ：Ｋ＝５：１０：５  Ｍｇ：０．０８  Ｍｎ：０．００４  Ｂ：０．０１６）１０ｃｃ及び前記ＣＮＦ分散液に水７０００ｃｃを加えて、全量７１１０ｃｃとして、養液栽培用分散液とした。
【００５８】
次いで、２０１８年６月１０日〜２０１８年７月３１日の期間、トマトを養液土耕法により栽培した。このとき、１週間毎に、ＣＮＦ固形分量０．１４ｇ／回となるように調製し、全量で２５００ｃｃの養液栽培用分散液を施肥した。
【００５９】
（比較例２）
液体肥料（住友化学園芸株式会社製、花工場  生産業者保証票生第８５０９５号  Ｎ：Ｐ：Ｋ＝５：１０：５  Ｍｇ：０．０８  Ｍｎ：０．００４  Ｂ：０．０１６）１０ｃｃに水７０００ｃｃを加えて、全量７０１０ｃｃとした。
他の条件は、実施例２と同様にしてトマトの栽培を行った。
【００６０】
実施例２及び比較例２において収穫したトマトそれぞれの重量を表３に示す。また、トマトの収穫量の推移の結果を図６に、トマトの収穫後の根を洗浄した後の様子を示す写真を図７に示し、それぞれの収穫後の根の重量を表４に示す。
【００６１】
【表３】
2020110183.tif 000006
【００６２】
【表４】
2020110183.tif 000007
【００６３】
（結果の考察） 
表３及び図６の結果から本願発明に係る栽培剤は、ＣＮＦ分散液を配合していない液体肥料と比較して、総収穫量は約１．３倍、１個当たりの重量は、約１．２倍及び成長量は約１．４倍となった。また、収穫後のトマトの根の重量は、表４から実施例２の方が少なかった。これより本願発明に係る養液栽培用分散液は、トマトの根の成長を抑えつつ、トマトの収穫量を増加させる効果があるといえる結果となった。
【００６４】
＜栽培植物；二十日大根＞ 
（実施例３） 
広葉樹パルプを原料とし、ＡＣＣ法によるセルロースナノファイバー分散液１００ｃｃ（濃度０．２ｗｔ％、平均重合度７７０、結晶化度７１）を得た。次いで、液体肥料（住友化学園芸株式会社製、花工場  生産業者保証票生第８５０９５号  Ｎ：Ｐ：Ｋ＝５：１０：５  Ｍｇ：０．０８  Ｍｎ：０．００４  Ｂ：０．０１６）１０ｃｃに前記ＣＮＦ分散液１００ｃｃに水７０００ｃｃを加えて、全量を７１１０ｃｃとして、養液栽培用分散液とした。
【００６５】
次いで、２０１８年８月１２日〜２０１８年９月８日の期間、二十日大根を養液土耕法により栽培した。このとき、発芽して２ｃｍ程に芽が成長してから４日毎に、ＣＮＦ固形分量０．０７ｇ／回（施肥時濃度０．００１％）となるように調製し、添加回数６回、全量３００ｃｃの養液栽培用分散液を施肥した。
【００６６】
（比較例３）
液体肥料（住友化学園芸株式会社製、花工場  生産業者保証票生第８５０９５号  Ｎ：Ｐ：Ｋ＝５：１０：５  Ｍｇ：０．０８  Ｍｎ：０．００４  Ｂ：０．０１６）１０ｃｃに水７０００ｃｃを加えて、全量７０１０ｃｃとした。
他の条件は、実施例３と同様にして二十日大根の栽培を行った。
【００６７】
実施例３及び比較例３において収穫した二十日大根の大根部分及び茎部分それぞれの重量を表４、表５に示す。また、実施例３及び比較例３の二十日大根を栽培した結果を示す写真を図８、図９及び図１０に示す。
【００６８】
【表５】
2020110183.tif 000008
【００６９】
【表６】
2020110183.tif 000009
【００７０】
（結果の考察） 
表５、表６及び図８〜図１０の結果から、本発明に係る養液栽培用分散液を用いて栽培した二十日大根は、ＣＮＦ分散液を配合しない液体肥料と比較して、大根部分は、２倍の成長量及び茎部分は約１．２倍の成長量であった。
【００７１】
＜栽培植物；豆苗＞
（実施例５）
竹パルプを原料とし、ＡＣＣ法によるセルロースナノファイバー分散液１００ｃｃ（濃度０．２ｗｔ％、平均重合度８００、結晶化度６１）を得た。次いで、２０１８年７月１日〜２０１８年７月１３日の期間、豆苗を水耕栽培法により栽培した。このとき、水換えを毎日行い、かつ、１回／日の割合で根の部分に４側面から噴霧した。なお、前記期間中に噴霧したＣＮＦ固形分量の全量は、０．０１ｇであった。
【００７２】
（比較例５）
ＣＮＦ分散液を水に変え、実施例５と同様にして豆苗の栽培を行った。
【００７３】
実施例５及び比較例５の豆苗を栽培した結果を示す写真を図１１に示す。なお、右側の豆苗が実施例５であり、左側の豆苗が比較例５である。
【００７４】
（結果の考察）
図１１の結果から、実施例５の根部分は変色せず、異臭も発生しなかった。これに対して、比較例５の根部分は褐色に変色し、異臭が発生した。この結果より、ＣＮＦ分散液は、腐敗や異臭を防止する効果がある事が分かった。
【００７５】
＜栽培植物；ブロッコリースプラウト＞
（実施例６）
針葉樹パルプを原料とし、ＡＣＣ法によるセルロースナノファイバー分散液１００ｃｃ（濃度０．２ｗｔ％、平均重合度７００、結晶化度６３）を得た。次いで、２０１８年８月１２日〜２０１８年８月３１日の期間、ブロッコリースプラウトを水耕栽培法により栽培した。８月１２日に種植えを行い、８月１６日に発芽した。このとき、水換えを毎日行い、かつ、発芽した８月１６日から２回／日の割合で１．２５ｃｃを４側面から噴霧した。なお、前記期間中に噴霧したＣＮＦ固形分量の全量は、０．０４ｇであった。前記期間中において、菌数の測定を以下の方法で実施した。
【００７６】
−菌数測定方法−
微生物簡易測定器具「サンアイバイオチェッカーＴＴＣ（総菌数測定用）」 （三愛石油株式会社製）を用いて、ディップスライドを検体液に浸し、その後恒温槽にて３７℃で２４時間培養後、対照表と比較評価した。
【００７７】
（比較例６）
ＣＮＦ分散液を水に変え、実施例６と同様にしてブロッコリースプラウトの栽培を行い、菌数の測定を実施例６と同様の方法で測定した。
【００７８】
実施例５及び比較例５のブロッコリースプラウトを栽培した結果を示す写真を図１２に示す。なお、左側のブロッコリースプラウトが実施例６、右側のブロッコリースプラウトが比較例６である。また、菌測定結果を図１３に示す。
【００７９】
（結果の考察）
図１２の結果から、実施例５の根部分は変色せず、異臭も発生しなかった。これに対して、比較例５の根部分は褐色に変色し、異臭が発生した。また、図１３の結果から、ＣＮＦ分散液は、菌数を抑える効果が有ること明らかとなった。この結果により、ＣＮＦ分散液は、菌の増殖を抑え、腐敗や異臭を防止する効果がある事が分かった。
【００８０】
＜栽培植物；キャベツ＞
（実施例７）
竹パルプを原料とし、ＡＣＣ法によるセルロースナノファイバー分散液１０００ｃｃ（濃度１．７％、平均重合度８３０、結晶化度６１）を得た。次いで、これを水２００００ｃｃを用いて希釈した（施肥時濃度０．０８１％）。次いで、２０１８年１０月１７日〜２０１９年１月２４日の期間、早世キャベツ及びキャベツを以下の条件にて、畑栽培した。
ＣＮＦ希釈液：作付け時１回、追肥１回の合計２回（期間中に噴霧したＣＮＦ固形分量の全量：３４ｇ、キャベツ１個あたりのＣＮＦ固形分量：０．３４ｇ）
固形肥料（化成肥料）：作付け時１回、追肥２回  合計３回
農薬：１回／週
面積：縦３５ｍ×横０．４ｍ×高さ０．２=２．８ｍ３(キャベツ１００個分）
【００８１】
（比較例７）
ＣＮＦ分散液を使用しないこと以外は、実施例７と同様にしてキャベツの栽培を行った。
【００８２】
実施例７及び比較例７において収穫したキャベツのそれぞれの重量（単位：ｋｇ）を表７〜９に示す。また、実施例７及び比較例７のキャベツを栽培した途中結果を示す写真を図１４、図１５に示す。
【００８３】
【表７】
2020110183.tif 000010
【００８４】
【表８】
2020110183.tif 000011
【００８５】
【表９】
2020110183.tif 000012
【００８６】
（結果の考察）
表７〜９の結果から、ＣＮＦを添加したキャベツは、ＣＮＦを添加しないキャベツより平均約１．２倍の成長量であった。また、図１４、１５の結果から、栽培初期段階におけるキャベツ（キャベツとなる部分）に明らかに差があることが分かった。この結果により、ＣＮＦ分散液には、キャベツの成長を促進させ、収穫量を増大させる効果がある事が分かった。
【００８７】
＜栽培植物；ブロッコリー＞
（実施例８）
針葉樹パルプを原料とし、ＡＣＣ法によるセルロースナノファイバー分散液６００ｃｃ（濃度０．０５％、平均重合度７２０、結晶化度６３）を得た。次いで、２０１８年１０月７日〜２０１９年２月２８日の期間、ブロッコリーを以下の条件にて、畑栽培した。
ＣＮＦ希釈液：作付け時１回、追肥２回の合計３回（期間中に噴霧したＣＮＦ固形分量の全量：０．９g）
固形肥料（朝日工業株式会社製  超速効早効き野菜の肥料  Ｎ：Ｐ：Ｋ＝１０：１２：１０  有機成分約３０％）：作付け時１回、追肥２回（１０日おき）各６ｇ  合計３回（期間中の添加量１８ｇ）
水：１回／日
【００８８】
（比較例８）
ＣＮＦ分散液を使用しないこと以外は、実施例８と同様にしてブロッコリーの栽培を行った。
【００８９】
実施例８及び比較例８において収穫したブロッコリーの頂花蕾（可食部）収穫量（単位：ｇ）を測定した結果を表１０に示す。また、実施例８及び比較例８のブロッコリーを栽培した途中結果を示す写真を図１６に示す。なお、右側のブロッコリーが実施例８であり、左側のブロッコリーが比較例８である。
【００９０】
【表１０】
2020110183.tif 000013
【００９１】
（結果の考察）
表１０の結果から、ＣＮＦを添加したブロッコリーは、ＣＮＦを添加しないブロッコリーより約１．５倍の成長量であった。この結果により、ＣＮＦ分散液には、ブロッコリーの成長を促進させ、収穫量を増大させる効果がある事が分かった。
【図１】
2020110183.tif 000014
【図２】
2020110183.tif 000015
【図３】
2020110183.tif 000016
【図４】
2020110183.tif 000017
【図５】
2020110183.tif 000018
【図６】
2020110183.tif 000019
【図７】
2020110183.tif 000020
【図８】
2020110183.tif 000021
【図９】
2020110183.tif 000022
【図１０】
2020110183.tif 000023
【図１１】
2020110183.tif 000024
【図１２】
2020110183.tif 000025
【図１３】
2020110183.tif 000026
【図１４】
2020110183.tif 000027
【図１５】
2020110183.tif 000028
【図１６】
2020110183.tif 000029